(57)【要約】【課題】  有料道路のサービスタイムを短縮する料金自動収受機を提供する。【解決手段】  料金自動収受機は、貨幣を種類別に格納する貨幣格納部に加えて、釣銭を一時的に保留する保留機構を備える。保留機構には、よく使われる額の釣銭が準備される。料金自動収受機に料金が支払われたとき、その釣銭の額が保留機構に保留されている釣銭の額と一致したら、保留機構から釣銭が支払われる。空になった保留機構には、もと入っていた額の釣銭が貨幣格納部から供給される。通常の釣銭支払装置は貨幣を一枚ずつ繰り出すが、保留機構からは複数の貨幣が同時に供給されるため、サービスタイムが短縮される。【選択図】図１
2006236208.tif 000002
【特許請求の範囲】
【請求項１】
貨幣が種類別に格納される貨幣格納部と、
貨幣が格納される保留部と、
前記貨幣格納部と前記保留部とのいずれか一方の貨幣を選択的に払出口に供給する切替部
とを具備する
釣銭支払装置。
【請求項２】
請求項１に記載された釣銭支払装置であって、
前記保留部は、
複数の貨幣を格納する保留箱と、
前記保留箱のうち前記複数の貨幣を支持する部分を開放することにより前記複数の貨幣を同時に前記払出口に供給する開放装置
とを備える
釣銭支払装置。
【請求項３】
請求項１または２に記載された釣銭支払装置であって、
更に、貨幣が投入される貨幣投入部と、
所定の保留金額を記憶する保留金額テーブルと、
前記貨幣投入部に貨幣が投入されたとき釣銭の額を計算し、前記保留金額テーブルを参照して前記釣銭の額と前記保留金額が一致したとき前記切替部に第１信号を送信し、一致しなかったとき前記切替部に第２信号を送信する制御部
とを具備し、
前記切替部は、前記第１信号を受信したとき前記保留部の貨幣を前記払出口に供給し、前記第２信号を受信したとき前記貨幣格納部の貨幣を前記払出口に供給する
釣銭支払装置。
【請求項４】
請求項３に記載された釣銭支払装置であって、
更に、前記貨幣格納部から供給される貨幣を前記払出口と前記保留部とのいずれかに選択的に供給する第２切替部
を具備する
釣銭支払装置。
【請求項５】
請求項３または４に記載された釣銭支払装置であって、
更に、開始時刻と終了時刻と割引時保留金額とを格納する時間帯割引テーブル
を具備し、
前記制御部は、前記開始時刻から前記終了時刻までの間、前記保留金額テーブルに記憶された保留金額に代えて前記割引時保留金額を使用する
釣銭支払装置。
【請求項６】
請求項４または５に記載された釣銭支払装置であって、
前記第２切替部は、前記制御部が前記第１信号を送信した後に、前記貨幣格納部から前記保留金額の貨幣を前記保留部に供給する
釣銭支払装置。
【請求項７】
請求項１に記載された釣銭支払装置であって、
前記保留部は貨幣が蓄積される複数の保留箱を備え、
更に、貨幣が投入される貨幣投入部と、
複数の保留箱ＩＤと保留金額とを対応づけて記憶する保留金額テーブルと、
前記貨幣投入部に貨幣が投入されたとき釣銭の額を計算し、前記保留金額テーブルを参照して、前記釣銭の額と一致する前記保留金額が検索されたとき、検索された前記保留金額に対応する前記保留箱ＩＤの情報を含む第１信号を前記切替部に送信し、前記釣銭の額と一致する前記保留金額が検索されなかったとき、前記切替部に第２信号を送信する制御部
とを具備し、
前記切替部は、前記第１信号を受信したとき前記第１信号に含まれる前記保留箱ＩＤの情報に対応する前記保留箱の貨幣を前記払出口に供給し、前記第２信号を受信したとき前記貨幣蓄積部の貨幣を前記払出口に供給する
釣銭支払装置。
【請求項８】
請求項１から７のうちのいずれかに記載された釣銭支払装置であって、
更に、所定の操作が入力されたときに前記保留部に格納されたすべての貨幣が所定の場所に排出される入力装置
を具備する
釣銭支払装置。
【請求項９】
請求項１から８のうちのいずれかに記載された釣銭支払装置によって釣銭の支払を行う有料道路の料金自動収受機。
【発明の詳細な説明】
【技術分野】
【０００１】
本発明は、料金を収受して釣銭を支払う装置に関する。本発明は特に、有料道路を利用するための料金を収受して釣銭を支払う装置に関する。
【背景技術】
【０００２】
料金を収受して釣銭を自動的に支払う装置は周知である。こうした装置は、有料道路の料金収受にも使用されている。
【０００３】
特許文献１には、自動釣銭支払装置が開示されている。この文献の請求項１は、次のように記載されている。装置本体と、この装置本体に内蔵された釣銭用の貨幣が収容する貨幣収容手段と、この貨幣収容手段に収容された貨幣を繰り出す繰出手段と、この繰出手段にて繰り出された貨幣を所定の釣銭設定金額に応じて計数する計数手段と、この計数手段にて計数された釣銭貨幣を一時貯留する貯留手段と、この貯留手段にて一時貯留された釣銭貨幣を貨幣払出口から払い出す払出手段と、この払出手段の貨幣払出口の近傍に設けられ、かつ手の接近を検知して前記貯留手段による釣銭貨幣の一時貯留状態を解除し排出させる払出検知手段と、前記装置本体に内蔵され前記払出検知手段に応動して前記所定の釣銭支払金額に応じた金額を印字して領収書発行口から領収書を発行させる領収書発行手段と、を具備してなることを特徴とする自動釣銭支払装置。
【特許文献１】特開平５‐２６６２９６号公報
【発明の開示】
【発明が解決しようとする課題】
【０００４】
有料道路では、料金収受にかかる時間（サービスタイム）を短くすることが求められている。料金収受の時間が短いと、料金収受所の混雑の緩和、渋滞の緩和がもたらされ、有料道路の利便性が向上する。
【０００５】
本発明の目的は、釣銭の支払いを短時間で行う釣銭支払装置を提供することである。
本発明の他の目的は、有料道路の料金収受にかかるサービスタイムを短縮する料金自動収受機を提供することである。
【課題を解決するための手段】
【０００６】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００７】
本発明による釣銭支払装置（１）は、貨幣が種類別に格納される貨幣格納部（９）と、複数種類の貨幣が混在した状態で格納される保留部（２２、２４、２６）と、払出口（３２）と、貨幣格納部（９）と保留部（２２、２４、２６）とのいずれか一方の貨幣を選択的に払出口（３２）に供給する切替部（１０、２８）とを備える。
【０００８】
本発明による釣銭支払装置（１）において、保留部（２２、２４、２６、６０、６２、６４、６６、６８）は、複数の貨幣を格納する保留箱（２２、２４、２６）と、保留箱（２２、２４、２６）のうち複数の貨幣を支持する部分（６４、６８）を開放することにより複数の貨幣を同時に払出口（３２）に供給する開放装置（６２、６６）とを備える。保留箱は、異なる種類の貨幣を混在した状態で格納する。
【０００９】
本発明による釣銭支払装置（１）は、貨幣が投入される貨幣投入部（３６）と、所定の保留金額（５６）を記憶する保留金額テーブル（５２）と、貨幣投入部（３６）に貨幣が投入されたとき釣銭の額を計算し、保留金額テーブル（５２）を参照して釣銭の額と保留金額が一致したとき切替部（１０、２８）に第１信号を送信し、一致しなかったとき切替部（１０、２８）に第２信号を送信する制御部（３４）とを備える。切替部（１０、２８）は、第１信号を受信したとき保留部（２２、２４、２６）の貨幣を払出口（３２）に供給し、第２信号を受信したとき貨幣格納部（９）の貨幣を払出口（３２）に供給する。
【００１０】
本発明による釣銭支払装置（１）は、貨幣格納部（９）から供給される貨幣を払出口（３２）と保留部（２２、２４、２６）とのいずれかに選択的に供給する第２切替部（１４）を備える。
【００１１】
本発明による釣銭支払装置（１）は、開始時刻と終了時刻と割引時保留金額とを格納する時間帯割引テーブルを備える。制御部（３４）は、開始時刻から終了時刻までの間、保留金額テーブル（５２）に記憶された保留金額に代えて割引時保留金額を使用する。
【００１２】
本発明による釣銭支払装置（１）において、第２切替部（３４）は、制御部（３４）が第１信号を送信した後に、貨幣格納部（９）から保留金額の貨幣を保留部（２２、２４、２６）に供給する。
【００１３】
本発明による釣銭支払装置（１）において、保留部（２２、２４、２６、６０、６２、６４、６６、６８）は貨幣が蓄積される複数の保留箱（２２、２４、２６）を備える。釣銭支払装置（１）は更に、貨幣が投入される貨幣投入部（３６）と、複数の保留箱ＩＤ（５４）と保留金額（５６）とを対応づけて記憶する保留金額テーブル（５２）と、貨幣投入部（３６）に貨幣が投入されたとき釣銭の額を計算し、保留金額テーブル（５２）を参照して、釣銭の額と一致する保留金額（５６）が検索されたとき、検索された保留金額（５６）に対応する保留箱ＩＤ（５４）の情報を含む第１信号を切替部（１０、２８）に送信し、釣銭の額と一致する保留金額が検索されなかったとき、切替部（１０、２８）に第２信号を送信する制御部（３４）とを備える。切替部（１０、２８）は、第１信号を受信したとき第１信号に含まれる保留箱ＩＤ（５４）の情報に対応する保留箱（２２、２４、２６）の貨幣を払出口（３２）に供給し、第２信号を受信したとき貨幣格納部（９）の貨幣を払出口（３２）に供給する。
【００１４】
本発明による釣銭支払装置（１）は、所定の操作が入力されたときに保留部（２２、２４、２６）に格納されたすべての貨幣が所定の場所に排出される入力装置（４０）を備える。
【００１５】
本発明による有料道路の料金自動収受機は、本発明による釣銭支払装置（１）によって釣銭の支払を行う。
【発明の効果】
【００１６】
本発明によれば、釣銭の支払いを短時間で行う釣銭支払装置が提供される。
更に本発明によれば、有料道路の料金収受にかかるサービスタイムを短縮する料金自動収受機が提供される。
【発明を実施するための最良の形態】
【００１７】
以下、図面を参照しながら本発明を実施するための最良の形態について説明する。図１には、料金自動収受機１の構成が示されている。料金自動収受機１は、有料道路の料金収受所の路側に設置される。有料道路の利用者は、車両に搭乗したまま料金収受機１に対して現金、カード等の媒体を投入することにより、利用料金を支払う。
【００１８】
料金自動収受機１は貨幣格納部９を備える。貨幣格納部９は、十円玉格納部２、五十円玉格納部４、百円玉格納部６及び五百円玉格納部８を備える。その各々には、多数の十円玉、五十円玉、百円玉及び五百円玉が収納される。貨幣格納部９は、釣銭払出機１０に接続される。釣銭払出機１０は、制御部３４に電気的に接続されている。釣銭払出機１０は、制御部３４から受信した電気信号により指定された数量の十円玉、五十円玉、百円玉及び五百円玉を貨幣格納部９から一枚ずつ分離して順次、繰り出す。制御部３４は、料金受取部３６に電気的に接続される。料金受取部３６は、現金を受け入れて金額を数え上げ、またはカードを受け入れてそのカードに記録されている情報を読み取る。
【００１９】
貨幣が移動する向きを上流側から下流側であるとして、釣銭払出機１０の下流側には、釣銭通路１２の上流側の端部が接続される。釣銭通路１２の下流側の端部には、切替部１４の上流側の端部が接続される。切替部１４の下流側は、釣銭シュータ１６と釣銭保留通路１８とに分岐している。切替部１４は、制御部３４と電気的に接続される。切替部１４は、制御部３４から受信した電気信号に基づいて、釣銭通路１２から供給された貨幣を釣銭シュータ１６と釣銭保留通路１８とのいずれか一方に振り分けて供給する。釣銭シュータ１６の下流側には払出口３２が設置されている。払出口３２は料金自動収受機１の外側に開口している。有料道路の利用者は、車両に搭乗したまま払出口３２から貨幣を取り出すことができる。
【００２０】
釣銭保留通路１８の下流側には釣銭振り分け装置２０が設けられている。釣銭振り分け装置２０の下流側には一つ以上の釣銭保留箱が接続される。例えば、図１に示されているように３つの釣銭保留箱、すなわち第１釣銭保留箱２２、第２釣銭保留箱２４及び第３釣銭保留箱２６が接続される。釣銭振り分け装置２０は制御部３４と電気的に接続されている。釣銭振り分け装置２０は、制御部３４から受信した信号に基づいて、釣銭保留通路１８から供給された貨幣を第１釣銭保留箱２２、第２釣銭保留箱２４及び第３釣銭保留箱２６のうちのいずれかに選択的に供給する。
【００２１】
釣銭保留箱の下流側には保留釣銭供給装置２８が接続される。保留釣銭供給装置２８は制御部３４と電気的に接続される。保留釣銭供給装置２８は、制御部３４から受信した信号に基づいて、第１釣銭保留箱２２、第２釣銭保留箱２４及び第３釣銭保留箱２６のうちのいずれかを選択し、そこに保留された貨幣を保留釣銭シュータ３０に供給する。保留釣銭シュータ３０の下流側は釣銭シュータ１６に接続している。
【００２２】
図２には、釣銭保留箱の構成がより詳細に示されている。釣銭保留箱６０は、第１釣銭保留箱２２、第２釣銭保留箱２４及び第３釣銭保留箱２６のいずれかを示す。釣銭保留箱６０は、内部に貨幣６１が格納される構造物であり、支持板６４を備えている。支持板６４は、開閉装置６２に接続されている。開閉装置６２は、制御部３４から受信した信号に基づいて、支持板６４を開状態と閉状態とのうちのいずれかを取るように制御する。開閉装置６２と支持板６４とが、図１に示された保留釣銭供給装置２８に対応する。
【００２３】
図２（ａ）には、支持板６４が閉状態のときの様子が示されている。支持板６４は釣銭保留箱６０の底面をなし、貨幣６１が釣銭保留箱６０の内部に留まるように支持している。図２（ｂ）には、支持板６４が開状態のときの様子が示されている。支持板６４が閉状態から開状態に変化すると、釣銭保留箱６０の内部に格納されている全ての貨幣６１は、保留釣銭シュータ３０に同時に供給される。
【００２４】
図３には、釣銭保留箱の構成の変形例が示されている。釣銭保留箱６０は、内部に貨幣６１が格納される構造物であり、底面が一方から他方にかけて傾斜している。貨幣６１は、重力によって底面のより低い部分から順に格納される。底面の位置が低い側の端部に隣接する側面は、開閉装置６６によって開閉可能な支持板６８によって形成されている。開閉装置６６は、制御部３４から受信した信号に基づいて、支持板６８を開状態と閉状態とのうちのいずれかを取るように制御する。開閉装置６６と支持板６８とが、図１に示された保留釣銭供給装置２８に対応する。
【００２５】
図３（ａ）には、支持板６８が閉状態のときの様子が示されている。貨幣６１は、底面及び支持板６８によって支持される。図３（ｂ）には、支持板６８が開状態のときの様子が示されている。支持板６８が閉状態から開状態に変化すると、釣銭保留箱６０の内部に格納されている全ての貨幣６１は、底面の傾斜に沿ってすべり落ち、保留釣銭シュータ３０に供給される。
【００２６】
図２及び図３に示されるような釣銭保留箱のうち複数の貨幣６１を支持する部分すなわち支持板６４、６８を開放することにより複数の貨幣６１を同時に払出口に供給する装置によれば、簡易な構成と低いコストによって、釣銭の供給にかかる時間を短縮することができる。特に、釣銭として一度に払い出される貨幣の枚数が多い場合は、貨幣を一枚ずつ把持して繰り出す機構による釣銭の払い出しに比べて非常に短い時間で払い出しが行われる。
【００２７】
図４には、制御部３４の構成が示されている。制御部３４は、演算処理部３８、入力部４０、出力部４２、通信部４４及び記憶部４６を備える。通信部４４は、釣銭払出機１０、切替部１４、釣銭振り分け装置２０、保留釣銭供給装置２８及び料金受取部３６に電気的に接続される。記憶部４６には、料金処理プログラム４８、釣銭支払プログラム５０及び保留箱テーブル５２が格納されている。
【００２８】
図５には、保留箱テーブル５２の構成が示されている。保留箱テーブル５２は、第１釣銭保留箱２２、第２釣銭保留箱２４及び第３釣銭保留箱２６の各々を特定する識別子である保留箱ナンバー５４と、保留金額５６と、保留残５８とを対応づけて格納している。保留金額５６は次のようにして設定される。例えば料金収受所において８１０円、７２０円及び６１０円が収受される頻度が多いとき、紙幣によって支払いがなされた場合に硬貨で払いだされる釣銭１９０円、２８０円及び３９０円が払い出される頻度が多くなると予測される。その場合、その予測された釣銭の額が保留金額５６として設定される。特に、払い出される貨幣の枚数が多い額から設定されることが好ましい。
【００２９】
以下に、こうした料金自動収受機１の動作が図６〜８のフローチャートを参照しながら説明される。以下の説明において、演算処理部３８が記憶部４６に格納されたプログラムを読み出し、そのプログラムに記述された手順に従って行う動作は、プログラム自身の動作として記述される。
【００３０】
ステップＳ２：車両が料金収受所に進入し、料金自動収受機１の前で停車する。
【００３１】
ステップＳ４：料金受取部３６は車両の種類、通行距離などに基づいて収受すべき通行料金を算出する。
【００３２】
ステップＳ６：車両の乗員は、料金受取部３６に現金か、クレジットカード、ハイウェイカードなど現金以外の媒体によって料金の支払いを行う。料金受取部３６は、センサを用いて現金が投入されたかその他の媒体が投入されたかを判定する。現金が投入されたとき、処理はステップＳ１０に移行する。その他の媒体が投入されたとき、処理はステップＳ８に移行する。
【００３３】
ステップＳ８：支払いが現金以外の媒体によって行われたとき、料金自動収受機１は所定の処理手続きによって料金収受を行う。料金収受が終わると、車両に発進許可が出され、車両は発進する。
【００３４】
ステップＳ１０：料金処理プログラム４８は、ステップＳ４において算出された通行料金から料金受取部３６に投入された金額を減算して釣銭を算出する。料金処理プログラム４８は更に、算出された釣銭に貨幣が含まれるかどうかを判定する。例えば釣銭の額が１０００の倍数でなければ貨幣が含まれると判定する。釣銭がゼロであれば、車両に発進許可が出される。釣銭が紙幣のみであれば、図示しない紙幣払出装置によって釣銭の紙幣が支払われ、車両に発進許可が出される。
【００３５】
ステップＳ１２：釣銭に貨幣が含まれると判定されると、釣銭支払プログラム５０は算出された釣銭の額と、保留箱テーブル５２の保留金額５６とを照合する。
【００３６】
ステップＳ１４：釣銭の額と一致する保留金額５６が無かった場合、釣銭払出機１０によって釣銭が貨幣格納部９から釣銭通路１２、切替部１４及び釣銭シュータ１６を通って払出口３２に払い出される。車両の乗員は払出口３２から釣銭を取り出す。車両に発進許可が出される。
【００３７】
ステップＳ１６：釣銭の額と一致する保留金額５６があった場合、釣銭支払プログラム５０は、保留箱テーブル５２においてその保留金額５６に対応する保留残５８を検索する。
【００３８】
ステップＳ１８：検索された保留残５８が「無」であったとき、すなわち対応する保留箱に釣銭が入っていないことが示されていたとき、釣銭支払プログラム５０は、後述する釣銭払出機払出の手順に従って釣銭の払出を実行する。その後、処理はステップＳ２４に移行する。
【００３９】
ステップＳ２０：ステップＳ１６において検索された保留残５８が「有」であったとき、すなわち対応する保留箱に釣銭が入っていることが示されていたとき、釣銭支払プログラム５０は、ステップＳ１２において検索された保留金額５６の情報を含む信号を保留釣銭供給装置２８に送信する。制御部３４は、その保留金額５６に対応する保留残５８を「無」に書き換える。
【００４０】
ステップＳ２２：保留釣銭供給装置２８は、第１釣銭保留箱２２、第２釣銭保留箱２４及び第３釣銭保留箱２６のうち受信した信号に含まれる保留金額５６の情報に対応する保留箱に格納されている貨幣を保留釣銭シュータ３０に供給する。その貨幣は釣銭シュータ１６を介して払出口３２に供給される。
【００４１】
ステップＳ２４：車両の乗員は、払出口３２から釣銭を取り出す。車両に発進の許可が出される。
【００４２】
ステップＳ２６：釣銭支払プログラム５０は、切替部１４に対して所定の信号を送信する。その信号を受信した切替部１４は、釣銭通路１２を通る貨幣が釣銭保留通路１８に供給されるように設定される。釣銭支払プログラム５０は、釣銭振り分け装置２０に対して所定の信号を送信する。その信号を受信した釣銭振り分け装置２０は、釣銭保留通路１８を通る貨幣が、ステップＳ１２における照合の結果が一致した保留箱に供給されるように設定される。
【００４３】
ステップＳ２８：制御部３４は、保留箱テーブル５２において、ステップＳ１２における照合の結果が一致した釣銭保留箱の保留箱ナンバー５４に対応する保留金額５６の情報を含む信号を釣銭払出機１０に送信する。その信号を受信した釣銭払出機１０は、その信号に含まれる保留金額５６の貨幣を貨幣格納部９から釣銭通路１２に供給する。
【００４４】
供給が終わると、釣銭払出機１０は制御部３４に所定の信号を送信し、制御部３４は、その信号を受信すると保留箱テーブル５２の対応する保留残５８を「有」に書き換える。または制御部３４は、釣銭払出機１０に信号を送信してから、その信号に含まれる保留金額に示される貨幣の種類と枚数とを計算し、その計算結果から所定の手順によって貨幣が釣銭保留箱に供給され終わる時間を予測し、その時間が経過したら保留残５８を「有」に書き換える。
【００４５】
ステップＳ３０：釣銭通路１２に供給された釣銭は、切替部１４によって釣銭保留通路１８に供給され、釣銭振り分け装置２０によって、ステップＳ１２において照合の結果が一致した釣銭保留箱（第１釣銭保留箱２２、第２釣銭保留箱２４及び第３釣銭保留箱２６のうちのいずれか）に供給される。
【００４６】
ステップＳ３２：釣銭支払プログラム５０は、切替部１４に対して所定の信号を送信する。その信号を受信した切替部１４は、釣銭通路１２を通る貨幣が釣銭シュータ１６に供給されるように設定される。
【００４７】
次に、図８を参照しながら、ステップＳ１２ＮＯの場合とステップＳ１８ＮＯの場合に実行される釣銭払出機払出の手順について説明する。
【００４８】
ステップＳ３４：釣銭支払プログラム５０は、ステップＳ１０において算出された釣銭の額を示す情報を含む信号を釣銭払出機１０に送信する。
【００４９】
ステップＳ３６：釣銭払出機１０は、受信した信号に示される額の貨幣を貨幣格納部９から釣銭通路１２に供給する。
【００５０】
ステップＳ３８：釣銭が釣銭シュータ１６を介して払出口３２に供給される。
【００５１】
次に、棚卸しのときの動作について説明する。料金自動収受機１を保守管理する役割を担う作業者は、定期的に棚卸し（情報として記録された料金収受の出入金と、釣銭収受機１に格納されている現金との照合）を行う。その際、作業者は、入力部４０から所定の操作を行う。すると釣銭支払プログラム４８は所定の信号を保留釣銭供給装置２８に送信する。その信号を受信した保留釣銭供給装置２８は、すべての釣銭保留箱に格納されている釣銭を払出口３２に供給する。これにより、作業者が棚卸しを行うのに釣銭保留箱の内部を確認する手間が省かれ、正確かつ容易に棚卸しが行われる。
【００５２】
次に、棚卸しが行われた後に料金自動収受機１が起動されたときの動作について説明する。制御部３４は自動的に、または入力部４２からの操作に応答して、切替部１４に所定の信号を送信する。切替部１４は、その信号を受信すると、釣銭通路１２を通る貨幣が釣銭保留通路１８に供給されるように設定される。制御部３４は、保留箱テーブル５２を参照して、保留箱ナンバー５４の情報と保留金額５６の情報を含む信号を釣銭払出機１０と釣銭振り分け装置２０とに送信する。信号を受信した釣銭振り分け装置２０は、釣銭保留通路１８を通る貨幣が第１釣銭保留箱２２に供給されるように設定される。信号を受信した釣銭払出機１０は、保留箱テーブル５２において第１釣銭保留箱２２に対応する保留金額５６の貨幣を釣銭通路１２に供給する。その貨幣は釣銭保留通路１８を介して第１釣銭保留箱２２に供給される。同様にして、第２釣銭保留箱２４と第３釣銭保留箱２６にも各々に対応する釣銭が順次、供給される。
【００５３】
次に、時間帯割引について説明する。料金自動収受機１は、予め決められた時間に有料道路の利用料金が割引される時間帯割引に対応していることが好ましい。この場合、記憶部４６には図示しない時間帯割引プログラムが予めインストールされる。記憶部４６には、時間帯割引が開始される開始時間と終了する終了時間との情報を含む時間情報と、その時間帯において頻度が高いと推定される釣銭の額とを対応づけて格納する時間帯割引テーブルが予め保存される。制御部３４には時計が設置される。
【００５４】
保留釣銭供給機構２８には、図示しない釣銭受けが接続される。保留釣銭供給機構２８は、制御部３４から受信する信号に応答して、第１釣銭保留箱２２、第２釣銭保留箱２４及び第３釣銭保留箱２６のうちの少なくとも１つを選択して、内部に格納されている貨幣を保留釣銭シュータ３０と釣銭受けのいずれかに選択的に供給する。
【００５５】
時間帯割引プログラムは、次の動作によって時間帯割引を実行する。時間帯割引プログラムは、定期的に時計を参照して、時間情報に示される開始時間を過ぎたと判断すると、まず釣銭保留箱を空にする。すなわち、時間帯割引プログラムは保留釣銭供給機構２８に所定の信号を送信する。保留釣銭供給機構２８は、その信号を受信すると、釣銭保留箱６０の内部の釣銭をすべて釣銭受けに排出する。
【００５６】
時間帯割引プログラムは、時間帯割引が適用されている間、保留箱テーブル５２の保留金額５６に代えて時間帯割引テーブルに記憶されている釣銭の額を参照する。時間帯割引プログラムは、上述した棚卸しが行われた後に料金自動収受機１が起動されたときの動作と同様の動作によって、釣銭保留箱６０に釣銭を補充する。その後の処理は、図６〜８を参照して説明された動作と同じである。
【００５７】
時間帯割引プログラムは、定期的に時計を参照し、時間情報に示される終了時間を過ぎたと判断すると、釣銭保留箱６０を空にする上記の動作を行う。時間帯割引プログラムは、時間帯割引テーブルに記憶されている釣銭の額に代えて、保留箱テーブル５２の保留金額５６を再び参照する。時間帯割引プログラムは、上述した棚卸しが行われた後に料金自動収受機１が起動されたときの動作と同様の動作によって釣銭保留箱６０に貨幣を補充する。その後の処理は、図６〜８を参照して説明された動作と同じである。
【図面の簡単な説明】
【００５８】
【図１】図１は、料金自動収受機の構成を示す。
【図２】図２は、保留釣銭供給装置の構成を示す。
【図３】図３は、保留釣銭供給装置の構成を示す。
【図４】図４は、制御部の構成を示す。
【図５】図５は、保留箱テーブルの構成を示す。
【図６】図６は、料金自動収受機の動作を示すフローチャートである。
【図７】図７は、料金自動収受機の動作を示すフローチャートである。
【図８】図８は、料金自動収受機の動作を示すフローチャートである。
【符号の説明】
【００５９】
１…料金自動収受機
２…十円玉収納部
４…五十円玉収納部
６…百円玉収納部
８…五百円玉収納部
９…貨幣格納部
１０…釣銭払出機
１２…釣銭通路
１４…切替部
１６…釣銭シュータ
１８…釣銭保留通路
２０…釣銭振り分け装置
２８…保留釣銭供給装置
３０…保留釣銭シュータ
３２…払出口
３４…制御部
３６…料金受取部
５２…保留箱テーブル
【図１】
2006236208.tif 000003
【図２】
2006236208.tif 000004
【図３】
2006236208.tif 000005
【図４】
2006236208.tif 000006
【図５】
2006236208.tif 000007
【図６】
2006236208.tif 000008
【図７】
2006236208.tif 000009
【図８】
2006236208.tif 000010